(57)【要約】      （修正有）【課題】特に地下を掘削した後、垂直の鋼柱を地盤或いは基礎杭上に設けて支持柱とし、地下階を設けた後、二つの鋼柱間に調節可能な梁を設置することにより、鋼柱及び梁を永久的に支持すると共に、調節式梁を鋼柱の間に設置することにより、鋼柱の間に発生するずれを吸収する地下階用支持構造を提供する。【解決手段】所定の間隔で垂直に複数の鋼柱１０が設置され、それら各鋼柱１０の底部がそれぞれ地下の地盤或いは基礎杭上に固設される地下階用支持構造であり、対向する鋼柱１０の間にＨ形鋼２０及びＨ形梁３０から成る調節可能な梁が設置され、該Ｈ形梁３０はＨ形鋼２０の間に連結されると共に、Ｈ形鋼２０の一端は鋼柱１０に固設され、更に、Ｈ形梁３０とＨ形鋼２０との間における上下面及び中段にそれぞれ平坦状の継手板４０が固設されることを特徴とする。【選択図】図１
0003101354.tif 000002
【実用新案登録請求の範囲】
【請求項１】
所定の間隔で垂直に複数の鋼柱が設置され、それら各鋼柱の底部がそれぞれ地下の地盤或いは基礎杭上に固設される地下階用支持構造であって、
対向し合う鋼柱の間にＨ形鋼及びＨ形梁から成る調節可能な梁が設置され、該Ｈ形梁はＨ形鋼の間に連結されると共に、Ｈ形鋼の一端は鋼柱に固設され、
更に、Ｈ形梁とＨ形鋼との間における上下面及び中段の両側にそれぞれ平坦状の継手板が固設されることを特徴とする地下階用支持構造。
【請求項２】
前記鋼柱の一側における所定位置に一つ以上の縦方向に沿う鋼板が溶接され、それら鋼板上に所定の間隔を置いて複数の長穴が形成されると共に、該鋼板はＨ形鋼の中段に固設され、更に、Ｈ形鋼における、鋼板と対応する一側にそれぞれが各長穴と対応する複数の貫通孔が形成され、それら長穴と貫通孔とはボルトが嵌入されてナットで締結されることを特徴とする請求項１に記載の地下階用支持構造。
【請求項３】
前記各Ｈ形鋼の上下面及び中段にそれぞれ所定の間隔を置いて貫通孔が形成され、Ｈ形梁の上下面及び中段にそれぞれ所定の間隔を置いて複数の貫通孔が形成されると共に、それらＨ形鋼とＨ形梁との間における上下面及び中段の両側に固設される継手板上にそれぞれ所定の間隔を置いて、Ｈ形鋼の貫通孔及びＨ形梁上の貫通孔と対応する複数の連結孔が形成され、それら連結孔と貫通孔とはボルトが嵌入されてナットで締結されることを特徴とする請求項１又は２に記載の地下階用支持構造。
【考案の詳細な説明】
【技術分野】
【０００１】
本考案は、特に鋼柱の底部をそれぞれ地盤の基礎杭上に固設し、地下を掘削した後、垂直の鋼柱を地盤或いは基礎杭上に設けて支持柱とし、更に地下階を設けて二つの鋼柱間に調節可能な梁を設置することにより、鋼柱の間に発生するずれを吸収する地下階用支持構造に関するものである。
【背景技術】
【０００２】
建物の安定性を高めるためには、一般に先ず地面を掘削し、建物を基礎上に安定させると共に、掘り出した土の重量と建物の重量とを等しくすることにより、周囲土壌の圧力による建物への影響を低減する。
【０００３】
また、地下工事である地盤の掘削には、通常順打工法或いは逆打工法が用いられ、その内、順打工法は工期が長く、工事においては先ず地盤に建物を直立状に支持するための複数の中間柱を打ち込み、掘削を行った後、仮設支持体を固定する。そして、所定の深度まで掘削したら、先ず基礎を完成させ、下から順に躯体を構築した後、中間柱及び仮設支持体を取り除く。しかし、この工法では、中間柱及び仮設支持体の設置が大掛かりとなるため、コストの増加や工期が長いなどの問題があった。
【０００４】
一方、逆打工法は工期が前記順打工法より短く、工事においては地下躯体と地上躯体とを同時に建ち上げ、通常は先ず地下に建物を直立状に支持するための複数の鋼柱を打ち込み、掘削を行った後、従来の鉄筋を結束すると共に、コンクリートを打設する工程により、各鋼柱上及び鋼柱間に水平に支持するようにRC梁及び床版を設置する。
【考案の開示】
【考案が解決しようとする課題】
【０００５】
しかし、前記施工方式は、実際に行う時、次のような欠点を有する。
従来の鉄筋を結束すると共に、コンクリートを打設する工程は、必ず現場で行う必要があるため、地下における掘削工事が完了していない場合、工事が行いにくく、施工の品質に悪影響を与えてしまう恐れがある。更に、この施工方式では、地下を構築する際、コンクリートを打設し、その強度が所定の範囲に達した後、更に下の階を掘り進めるが、工程数が多く、作業のコントロールが難しいため、工期が遅れるなどの問題を有する。
【０００６】
また、前記の問題に鑑み、前記従来の鉄筋コンクリートを使用する逆打工法の代わりに、鉄骨構造を用いる逆打工法を採用する場合は、鋼柱を地面から直接に地下へ打ち込む方式であるが、この工法は、鋼柱の間隔を正確にとることが難しく、従来の鉄筋コンクリートのように現場の状況によって作業を変更することができないことから、掘削した後、一々計測を行ってから所定の長さの各鋼梁を設置する必要があるので、工期短縮やコストダウンを図ることは非常に難しい。
【課題を解決するための手段】
【０００７】
本考案は、所定の間隔で垂直に複数の鋼柱（１０）が設置され、それら各鋼柱（１０）の底部がそれぞれ地下の地盤（１３）或いは基礎杭上に固設される地下階用支持構造であって、対向する鋼柱（１０）の間にＨ形鋼（２０）及びＨ形梁（３０）から成る調節可能な梁が設置され、該Ｈ形梁（３０）はＨ形鋼（２０）の間に連結されると共に、Ｈ形鋼（２０）の一端は鋼柱（１０）に固設され、更に、Ｈ形梁（３０）とＨ形鋼（２０）との間における上下面及び中段の両側にそれぞれ平坦状の継手板（４０）が固設されることを特徴とする地下階用支持構造、を提供する。
【考案の効果】
【０００８】
本考案は、主に鉄骨構造を用いた逆打工法が採用され、所定の間隔で垂直に複数の鋼柱が設置され、それら各鋼柱の底部はそれぞれ地下の地盤或いは基礎杭上に固設される地下階用支持構造であり、地下を掘削した後、鋼柱間の対向する位置に複数のＨ形鋼及びＨ形梁から成る中空の梁がそれぞれ設置され、それらＨ形鋼及びＨ形梁の連結個所の外部に支持用の複数の継手板が固設されるので、地下階を永久的に支持できると共に、鋼柱間のずれを吸収することができるので、工期短縮やコストダウンを図ることができる。
【考案を実施するための最良の形態】
【０００９】
以下、添付図面を参照して本考案の好適な実施の形態を詳細に説明する。
【実施例】
【００１０】
図１は本考案に係る地下階用支持構造の斜視図であり、図２は本考案に係る地下階用支持構造の分解斜視図であり、図３は本考案に係る地下階用支持構造の一部の接合状態を示す正面断面図であり、図４は本考案に係る地下階用支持構造の一部分解斜視図であり、図５は本考案に係る地下階用支持構造の他の実施例における一部分解斜視図であり、図６は本考案に係る地下階用支持構造の施工後の正面図であり、図７は本考案に係る地下階用支持構造の他の実施例における斜視図であり、図８は図７の側面断面図である。
【００１１】
図１乃至図４及び図６に示すように、本考案の地下階用支持構造は逆打工法或いは順打工法による永久的構造体を仮設支持体の代わりに用いるものであり、所定の間隔で垂直に複数の鋼柱（１０）が設置され、それら各鋼柱（１０）の底部がそれぞれ地下の地盤（１３）或いは基礎杭上に固設されることにより、地下階を永久的に支持するものである。また、上記構成において、鋼柱（１０）の内部における所定位置に横向きに間隔を置いて複数の補強プレート（１４）を配置することにより、鋼柱（１０）の強度をより高めることができる。
【００１２】
前記対向し合う鋼柱（１０）の間にＨ形鋼（２０）及びＨ形梁（３０）から成る調節可能な梁が設置され、該Ｈ形梁（３０）はＨ形鋼（２０）の間に連結されると共に、Ｈ形鋼（２０）の一端は鋼柱（１０）に固設され、更に、鋼柱（１０）の一側における所定位置に一つ以上の縦方向に沿う鋼板（１５）が溶接され、それらの鋼板（１５）に所定の間隔を置いて長穴（１６）が形成されると共に、Ｈ形鋼（２０）の中段における、鋼板（１５）の一側と対応する位置に長穴（１６）と対応する複数の貫通孔（２１）が形成される。そして、それら長穴（１６）と貫通孔（２１）とはボルト（１７）が嵌入されてナット（１８）で締結され、各Ｈ形鋼（２０）の上下部と鋼柱（１０）とが溶接により接合される。この時、各補強プレート（１４）はそれぞれＨ形鋼（２０）の上下部と対応する位置にある。
【００１３】
更に、前記Ｈ形鋼（２０）とＨ形梁（３０）における上下面及び中段にそれぞれ所定間隔を置いて複数の貫通孔（２２,３１）が形成される。
【００１４】
また、前記Ｈ形梁（３０）とＨ形鋼（２０）との間における上下面及び中段の両側にそれぞれ平坦状の継手板（４０）が固設され、それらＨ形鋼（２０）とＨ形梁（３０）との間における上下面及び中段の両側に固設される継手板（４０）上にそれぞれ所定の間隔を置いて、Ｈ形鋼（２０）の貫通孔（２１，２２）及びＨ形梁（３０）上の貫通孔（３１）と対応する複数の連結孔（４１）が形成され、それら連結孔（４１）と貫通孔（２１，２２）とはボルト（４２）が嵌入されてナット（４３）で締結される。更に、継手板（４０）における連結孔（４１）の数量はＨ形鋼（２０）の貫通孔（２１，２２）とＨ形梁（３０）の貫通孔（３１）とを合せた数より多いと共に、その形状を長穴状（通常は、Ｈ形梁（３０）の一辺を長穴とし、他辺を丸穴とする）とすることにより、梁の長さを調節可能とする。
【００１５】
図５に示すように、本考案の他の実施例としては、鋼柱（１０）の一側における所定の位置に複数の貫通孔（２３）が形成されると共に、Ｈ形鋼（２０）の一側における所定の位置に溶接により接合板（２４）が設置され、その接合板（２４）上に所定の間隔を置いて貫通孔（２３）と対応する複数の長穴（２５）が形成され、それら接合板（２４）の貫通孔（２３）と鋼柱（１０）の長穴（２５）とはボルト（１９）が嵌入されてナット（図示せず）で締結される。
【００１６】
また、図６に示すように、地下を掘削した後、垂直の鋼柱（１０）は地盤（１３）或いは基礎杭（図示せず）上に設けて支持柱とし、更に地下階を設けた後、二つの鋼柱（１０）間に調節可能な梁を設置する。また、その調節可能な梁は複数のＨ形鋼（２０）及び一つのＨ形梁（３０）から成り、各Ｈ形鋼（２０）とＨ形梁（３０）とはその連結個所に複数の継手板（４０）を固設することにより連結されて、永久的に支持されると共に、二つの鋼柱（１０）の間に生じるずれを吸収する。
【００１７】
図７乃至図８に示すように、本考案の更に他の実施例においては、その殆どは前記の構造と同様であるが、異なる点としてはＨ形梁（３０）の中間部をプレキャスト鉄筋コンクリート梁（５０）とし、そのプレキャスト鉄筋コンクリート梁（５０）とＨ形梁（３０）とを部分的に重なり合わせ、該重なり合わせた部分においてはプレキャスト鉄筋コンクリート梁（５０）によりＨ形梁（３０）の外側を覆い、更に、プレキャスト鉄筋コンクリート梁（５０）の内部には外部へ向って延出する鉄筋（５１）を設けることにより、該プレキャスト鉄筋コンクリート梁（５０）を梁として使用する。
【図面の簡単な説明】
【００１８】
【図１】本考案に係る地下階用支持構造の斜視図である。
【図２】本考案に係る地下階用支持構造の分解斜視図である。
【図３】本考案に係る地下階用支持構造の一部の接合状態を示す正面断面図である。
【図４】本考案に係る地下階用支持構造の一部分解斜視図である。
【図５】本考案に係る地下階用支持構造の他の実施例における一部分解斜視図である。
【図６】本考案に係る地下階用支持構造の施工後の正面図である。
【図７】本考案に係る地下階用支持構造の他の実施例における斜視図である。
【図８】図７の側面断面図である。
【符号の説明】
【００１９】
１０        鋼柱
１３        地盤
１４        補強プレート
１５        鋼板
１６        長穴
１７        ボルト
１８        ナット
１９        ボルト
２０        Ｈ形鋼
２１，２２，２３        貫通孔
２４        接合板
２５        長穴
３０        Ｈ形梁
３１        貫通孔
４０        継手板
４１        連結孔
４２        ボルト
４３        ナット
５０        プレキャスト鉄筋コンクリート梁
５１        鉄筋
【図１】
0003101354.tif 000003
【図２】
0003101354.tif 000004
【図３】
0003101354.tif 000005
【図４】
0003101354.tif 000006
【図５】
0003101354.tif 000007
【図６】
0003101354.tif 000008
【図７】
0003101354.tif 000009
【図８】
0003101354.tif 000010